(57)【特許請求の範囲】
【請求項１】
外反母趾が発症した多数の足の形態データを収集して、異なる足の形態に対応することができる複数種類の基本足型に集約するステップと、前記基本足型に基づき夫々の木型を作成するステップと、前記各木型に基づいてソール及びインナーソールを作成するステップと、前記各木型に基づいて柔軟性を有する革によりアッパーを作成するステップと、前記アッパーの両側端部の、けい側及びひ側中足点対応部分を含む所定部分を、それよりも長さの短いインナーソールの両側所定部分にそれぞれ接合するステップと、前記所定部分以外のアッパー及びインナーソールの周縁部分を接合するステップと、前記インナーソールにソールを取り付けるステップとを備え、
前記基本足型は、外曲り型、内曲り型及び非曲り型であって、前記外曲り型は、足の甲の形状の平面視において、足が、足指部と踵の幅方向中央部の間に足の長さ方向に沿って形成される中線を基準として小指側へ湾曲している場合の足型であり、前記内曲り型は、足の甲の形状の平面視において、足が、足指部と踵の幅方向中央部の間に足の長さ方向に沿って形成される中線を基準として親指側へ湾曲している足型であり、前記非曲り型は、足が、足の甲の形状の平面視において、足が、足の幅方向の幅方向中央部に足の長さ方向に沿って形成される中線を基準として親指側にも小指側にも湾曲していない足型であることを特徴とする靴の製造方法。
【請求項２】
前記アッパーの両側端部の、けい側及びひ側中足点対応部分を含む所定部分は、それよりも長さの短いインナーソールの両側所定部分に縫合されると共に、
前記所定部以外のアッパーはインナーソールの周縁部分に対して接着剤により接合されることを特徴とする請求項１記載の靴の製造方法
【請求項３】
前記外曲り型、内曲り型及び非曲り型の３種類の基本足型は、夫々、さらに複数種類の足型に細分化されていることを特徴とする請求項１記載の靴の製造方法。
【発明の詳細な説明】
【技術分野】
【０００１】
本発明は、外反母趾を発症している人であっても快適に履くことができる外反母趾用の靴の製造方法及びその靴に関する。
【背景技術】
【０００２】
従来より、特に、女性はヒールの高い靴を日常的に履くことから外反母趾を発症している場合が多い。外反母趾は、足の親指の中骨が曲がって足の幅方向外方へ突出するものであり、靴を履いた場合に痛みを伴うのみならず歩行に際してはより大きな痛みが伴う。
外反母趾は、症状の程度によっては履ける靴が制限されてしまうこととなり、また足の形が変形して外見上足の形の見栄えが悪くなることから、外反母趾を発症している患者、特に、女性にとっては深刻な問題となっている。
【０００３】
このような外反母趾の症状は、女性のみならず男性や子供にも発症する場合もある。外反母趾は人類の歴史の中で靴を履く生活を始めたギリシャ時代から既にその存在が確認されており、靴を履く現代の生活の中では不可避の問題となっている。従って、このような観点から、外反母趾の症状があった場合であっても快適に履くことができる靴が望まれていた。
【０００４】
この場合、外反母趾を発症している人の足は、足全体の形状が変形することが過去の症例から判明している。従って、外反母趾の症状を有する人が履く靴は、外反母趾の患部のみならず、変形した足の形そのものに適合することが必要である。
しかしながら、外反母趾による足の変形の態様及び程度は各個人により異なることから、個人個人の足の形状に合わせてオーダーメードで作る必要があり、過去においては外反母趾の人に適合する靴をオーダーメードではなくレディーメードで商業的に大量に提供することは困難であった。
このような観点から本件特許出願人は特許文献調査を行い、下記の文献を抽出したがいずれの文献所載の技術も、前記のような要請に応えられるものではなかった。
【特許文献１】特許第５２８９３６６号公報
【特許文献２】特開２００２―２０９６１０号公報
【発明の開示】
【発明が解決しようとする課題】
【０００５】
本件特許出願に係る発明の課題は、前記のような要請に鑑み、外反母趾を発症し変形している人によって異なる多種類の足型にも適切に対応できる靴を商業的に提供することが可能な靴の製造方法及び靴を提供することにある。
【課題を解決するための手段】
【０００６】
前記課題達成のため、請求項１記載の発明にあっては、外反母趾が発症した多数の足の形態データを収集して、異なる足の形態に対応することができる複数種類の基本足型に集約するステップと、前記基本足型に基づき夫々の木型を作成するステップと、前記各木型に基づいてソール及びインナーソールを作成するステップと、前記各木型に基づいて柔軟性を有する革によりアッパーを作成するステップと、前記アッパーの両側端部の、けい側及びひ側中足点対応部分を含む所定部分を、それよりも長さの短いインナーソールの両側所定部分にそれぞれ接合するステップと、前記所定部分以外のアッパー及びインナーソールの周縁部分を接合するステップと、前記インナーソールにソールを取り付けるステップとを備え、前記基本足型は、前記の基本足型は、外曲り型、内曲り型及び非曲り型であって、前記外曲り型は、足の甲の形状の平面視において、足が、足指部と踵の幅方向中央部の間に足の長さ方向に沿って形成される中線を基準として小指側へ湾曲している場合の足型であり、前記内曲り型は、足の甲の形状の平面視において、足が、足指部と踵の幅方向中央部の間に足の長さ方向に沿って形成される中線を基準として親指側へ湾曲している足型であり、前記非曲り型は、足が、足の甲の形状の平面視において、足が、足の幅方向の幅方向中央部に足の長さ方向に沿って形成される中線を基準として親指側にも小指側にも湾曲していない足型であることを特徴とする。
【０００７】
従って、請求項１記載の発明に係る靴は、外反母趾が発症して変形した多数の足の形態データを収集して作成された多数のバリエーションの木型に基づきソール及びインナーソールが形成され、さらに、柔軟性を有する革により形成されたアッパーを、いわゆる「釣り込み」作業を行うことなく、使用者のけい側及びひ側中足点近傍のアッパーにゆとりが形成されるようにインナーソールに接合するように構成されており、取得されたデータを大きく３つに分類して木型を作成する。
【０００８】
請求項２記載の発明にあっては、前記アッパーの両側端部の、けい側及びひ側中足点対応部分を含む所定部分は、それよりも長さの短いインナーソールの両側所定部分に縫合されると共に、前記所定部以外のアッパーはインナーソールの周縁部分に対して接着剤により接合されることを特徴とする。
【０００９】
請求項３記載の発明にあっては、前記外曲り型、内曲り型及び非曲り型の３種類の基本足型は、夫々、さらに複数種類の足型に細分化されていることを特徴とする。
【００１０】
請求項４記載の発明にあっては、前記アッパーの両側端部の、けい側及びひ側中足点対応部分を含む所定部分は、それよりも長さの短いインナーソールの両側所定部分に縫合されると共に、前記所定部以外のアッパーはインナーソールの周縁部分に対して接着剤により接合されることを特徴とする。
【発明の効果】
【００１１】
請求項１〜４記載の発明にあっては、外反母趾が発症した多数の足の形態データを収集して作成された多数のバリエーションの木型に基づきソール及びインナーソールが作成され、さらに、前記木型に基づいて柔軟性を有する革により形成されたアッパーを、いわゆる「釣り込み」作業を行うことなく、使用者のけい側及びひ側中足点近傍のアッパーにゆとりが有るようにインナーソールに接合されていることから、外反母趾の症状に適切に対応できると共に、外反母趾が発症することに伴い変形し多種類の足の形状に適合する形状のソール、インナーソール及びアッパーを有する靴が製作することができる。
【００１２】
その結果、使用者は自分の外反母趾の症状及び外反母趾の発症により生じている足の変形の形状、程度に応じて、多数のバリエーションの靴の中から、適宜、自分の足の状態に合う適切な木型を見出すことができるため、外反母趾の発症し、足の形が変形している場合であっても、履ける靴を適切かつ迅速に選択することが可能となる。
【００１３】
従って、本発明によれば、従来不可能であった、外反母趾の症状を有する足にフィットする靴を、オーダーメードではなくレディーメードで商業的に多数提供することが可能となる。
【００１４】
また、本発明に係る外反母趾用の靴にあっては靴そのものが外反母趾の患部を刺激することがないことから、本発明に係る靴を履き続けることによって、足そのもの筋肉もほぐれ血行も良好になり、その結果、足の骨の形状も元へ戻ることにより、外反母趾の症状を次第に軽減させ、快方に向かわせることも可能となる。従って、本発明によれば、外反母趾の症状を有する使用者に最適な靴を容易に、かつ大量に製造することが可能となる。
【００１５】
特に、請求項３記載の発明にあっては、前記外曲り型、内曲り型及び非曲り型の３種類の基本足型は、夫々、さらに複数種類の足型に細分化されていることから、基本足型の中でも、さらに多様な形態の靴を提供することができるため、使用者は外反母趾の症状の程度、態様に応じて、より適切な靴を選択することが可能となる。
【図面の簡単な説明】
【００１６】
【図１】本発明に係る靴の製造方法の一実施の形態を示すフローチャートである。
【図２】本発明に係る靴の製造方法に使用される足の形態データの一実施の形態を示し、外反母趾の非曲り型の左側の足型の細分化されたバリエーションを示す図である。
【図３】本発明に係る靴の製造方法に使用される足の形態データの一実施の形態であって、外反母趾の外曲り型において左側の足型の細分化されたバリエーションを示す図である。
【図４】本発明に係る靴の製造方法に使用される足の形態データの一実施の形態であって、外反母趾の外曲り型において右側の足型の細分化されたバリエーションを示す図である。
【図５】本発明に係る靴の製造方法に使用される足の形態データの一実施の形態を示し、外反母趾の内曲り型において左側の足型の細分化されたバリエーションを示す図である。
【図６】本発明に係る靴の製造方法に使用される足の形態データの一実施の形態を示し、外反母趾の内曲り型において右側の足型の細分化されたバリエーションを示す図である。
【図７】本発明に係る靴の製造方法により製造された靴を示す斜視図である。
【図８】本発明に係る靴の製造方法の一実施の形態において、作成に使用されるアッパーとインナーソールとを示す平面図である。
【図９】本発明に係る靴の製造方法の一実施の形態において、アッパーをインナーソールにソールを取り付ける状態を示す平面図である。
【図１０】本発明に係る靴の製造方法の一実施の形態において、インナーソールにソールを取り付けた状態を示す平面図である。
【発明を実施するための最良の形態】
【００１７】
以下、添付図面に示す実施の形態に基づき、本発明を詳細に説明する。
図１に示すように、本実施の形態に係る外反母趾用の靴の製造方法にあっては、外反母趾が発症した多数の足の形態データを収集して、異なる足の形態に対応することができる複数種類の基本足型に集約するステップ１０と、前記基本足型に基づき夫々の木型を作成するステップ１１と、前記各木型に基づいてソール及びインナーソールを作成するステップ１２と、前記各木型に基づいて柔軟性を有する革によりアッパーを作成するステップ１３と、前記アッパーの両側端部の、けい側及びひ側中足点対応部分を含む所定部分を、それよりも長さの短いインナーソールの両側所定部分にそれぞれ縫合するステップ１４と、前記所定部以外のアッパー及びインナーソールの周縁部分を接着剤で接合するステップ１５と、前記インナーソールにソールを取り付けるステップ１６とを備えている。
【００１８】
基本足型集約ステップ１０においては、２００人以上に及ぶ外反母趾症状を有する患者の足型が採取されてデータ化された足型の中から最終的に３種類の基本足型に集約されフォーミュラー化されている。この基本足型は、足を平面視した場合の形状を基礎に構成されている。
【００１９】
即ち、「３種類の基本足型」とは、外曲り型、内曲り型及び非曲り型である。本件特許出願の発明者は、長年に亘る鋭意研究の結果、外反母趾が発症している足の形状は、各個人の骨格及び骨質により足を平面から見た場合において、外反母趾の症状を持ちながら足全体が小指側へ曲がる場合（外曲り型）、外反母趾の症状を持ちながら足全体が親指側へ曲がる場合（内曲り型）、外反母趾の症状を持ちながらも足は曲がらない場合（非曲り型）の、３つに大きく分類されることの知見に至ったものである。この変形の相違は、足の甲の肉付きにより生まれることも判明している。以下、分類して説明する。
【００２０】
１：非曲り型
図２に示すように、「非曲り型」の足ＦＳは、足の甲２０の形状の平面視において、足指部２１と踵２２の幅方向中央部の間に足の長さ方向に沿って形成される中線Ｍ３を基準として親指２６側にも小指２７側にも湾曲していない足形状である。
即ち、「非曲り型」においては、足指部２１及び踵２２が、夫々、足の甲２０の幅方向において左右いずれの方向にも引っ張られることなく、足の甲２０の長さ方向にそって真っ直ぐに配置されている。
この点で以下の「外曲り型」及び「非曲り型」とは異なる。その結果、中線Ｍ３は、親指２６と人差し指５０との間、又は人差し指５０上に配置されることとなる。このような「非曲り型」において、本件特許発明者は、二種類の足型Ｓ１及びＳ２に分類している。符号２５が外反母趾の患部であり足の幅方向親指側に骨が突出している。
【００２１】
２：外曲り型
図３及び図４に示すように、「外曲り型」の足Ｆ１Ｌ及びＦ１Ｒは、足の甲２０の形状の平面視において、足指部２１と踵２２の幅方向中央部の間に足の長さ方向に沿って形成される中線Ｍ１を基準として足指部２１及び踵２２が小指２７側へ湾曲しているものである。
このような「外曲り型」においては、複数種類の足型０１〜０９に分類されて足型が形成されている。図３は「外曲り型」において左足の足型を示し、図４は同様に右足の足型を示す。いずれの足型も足全体が、幅方向において小指２７側へ湾曲していることが視認される。そして、符号２３が外反母趾の患部であり足の幅方向親指側に骨が突出している。
【００２２】
３：内曲り型
図５及び図６に示すように、「内曲り型」の足Ｆ２Ｌ及びＦ２Ｒは、足の甲２０の形状の平面視において、足指部２１と踵２２の幅方向中央部の間に足の長さ方向に沿って形成される中線Ｍ２を基準として足指部２１及び踵２２が親指２６側へ湾曲しているものである。
このような「内曲り型」において、さらに複数種類の足型Ｉ１〜５に分類されて足型が形成されている。図５は「内曲り型」において左足の足型を示し、図６は同様に右足の足型を示す。いずれの足型も足全体が、幅方向において親指２６側へ湾曲していることが視認される。そして、符号２４が外反母趾の患部であり足の幅方向親指側に骨が突出している。
【００２３】
以下、本実施の形態に係る外反母趾用の靴を製作する場合について説明する。
図１に示すように、本実施の形態に係る外反母趾用の靴３０の製作に際しては、予め、ステップ１０において、外反母趾が発症した２００以上の足の形態データが収集され、これら個々に異なる足の形態を分類して３種類の基本足型に集約されている。
【００２４】
従って、ステップ１１において、前記３つの基本足型に基づき夫々の木型（ラスト）を作成する。この木型は、一般の靴を作成する場合と同様の手法により木型を作成するものである。その結果、３種類の基本足型Ｆ１〜Ｆ３の中でさらに細分化されている各々、複数種類の形態に従った足型であるＯ１〜９、Ｉ１〜５、Ｓ１〜２に基づいた木型が作成される。
【００２５】
次に、ステップ１２において各木型に基づいてソール及びインナーソールを作成する。
【００２６】
本実施の形態においては、各木型に基づいて、柔軟性を有する革によりアッパーを作成するステップ１３と、前記アッパーの両側端部の、けい側及びひ側中足点対応部分を含む所定部分を、それよりも長さの短いインナーソールの両側所定部分にそれぞれ縫合するステップ１４と、前記所定部以外のアッパー及びインナーソールの周縁部分を接着剤で接合するステップ１５と、前記インナーソールにソールを取り付けるステップ１６とを備えている。
【００２７】
即ち、本実施の形態にあっては、図７に示すような女洋用のパンプスとしての外反母趾用の靴３０を製作する場合を例に説明する。
先ず、図８に示すように本実施の形態にあっては、靴３０を構成するアッパー４０は、両側端部の、けい側及びひ側中足点対応部を含む所定部分４１、４２は、インナーソール４３の両側所定部分４４、４５よりも長さが長く形成されている。従って、図９に示すように、ステップ１４においては、アッパー４０の両側端部の、けい側及びひ側中足点対応部分を含む所定部分を、それよりも長さの短いインナーソールの両側所定部分に針４７及び糸４８を用いてそれぞれ縫合する。
【００２８】
次に、図９及び図１０に示すように、木型を挿入して、アッパー４０の所定部分以外の周縁部分をインナーソール４３の裏面に折り返し、接着剤により折り返し部分を圧着接合する。その後、図7に示すように、インナーソール４３にソール４６を、適宜の手法により取り付ける。このソール４６のインナーソール４３への取付は、例えば、手縫い、マッケイ式、グッドイヤー・ウェルト式、インジェクション式、圧着式等がある。
【００２９】
従って、このように作成された本実施の形態に係る靴３０にあっては、アッパー４０は、両側端部の、けい側及びひ側中足点対応部を含む所定部分４１、４２は、インナーソール４３の両側所定部分４４、４５よりも長さが長く形成されていることから、外反母趾患部２３、２４、２５の骨の突起部が当接するけい側及びひ側中足点対応部を含む所定部分４１、４２においては、足を入れた場合であっても足の前後方向において拡張しうるように構成されている。
【００３０】
その結果、本実施の形態に係る外反母趾用の靴３０にあっては、足の収容力に余裕があり、外反母趾の患部のように足の側方に突出する患部を有していると共に、足が小指側又は親指側に湾曲変形している足を入れた場合であっても、必要に応じてアッパー４０が拡張して足に適合することから、外反母趾の症状を有する使用者も快適に着用することができる。
【００３１】
なお、アッパー及びインナーソールの具体的構成及び形態に関しては、本実施の形態に限定されず、適宜変更が可能である。
【産業上の利用可能性】
【００３２】
本発明は靴の製造方法に広く適用することができることから、産業上の利用可能性を有している。
【符号の説明】
【００３３】
１０  基本足型集約ステップ
１１  木型作成ステップ
１２  ソール及びインナーソール作成ステップ
１３  アッパー作成ステップ
１４  アッパー及びインナーソール縫合ステップ
１５  アッパー及びインナーソール接合ステップ
１６  ソール接合ステップ
２０  足の甲
２１  足指部
２２  踵
２３  外反母趾患部
２４  外反母趾患部
２５  外反母趾患部
２６  親指
２７  小指
３０  外反母趾用の靴  
４０  アッパー
４１  けい側及びひ側中足点対応部を含む所定部分
４２  けい側及びひ側中足点対応部を含む所定部分
４３  インナーソール
４４  両側所定部分
４５  両側所定部分
４６  ソール
４７  針
４８  糸
５０  人差し指
５１  中指
【要約】      （修正有）【課題】外反母趾を発症し変形している人によって異なる多種類の足型にも適切に対応できる靴を商業的に提供することが可能な靴の製造方法及び靴を提供する。【解決手段】外反母趾が発症して変形した多数の足の形態データを収集して、異なる足の形態に対応することができる複数種類の基本足型に集約するステップ１０と、前記基本足型に基づき夫々の木型を作成するステップ１１と、前記各木型に基づいてソール及びインナーソールを作成するステップ１２と、前記各木型に基づいて柔軟性を有する革によりアッパーを作成するステップ１３と、前記アッパーの両側端部の、けい側及びひ側中足点対応部分を含む所定部分を、それよりも長さの短いインナーソールの両側所定部分にそれぞれ縫合するステップ１４と、前記所定部以外のアッパー及びインナーソールの周縁部分を接合するステップ１５と、前記インナーソールにソールを取り付けるステップ１６とを備えた。【選択図】図１【図１】
0005933772.tif 000002
【図２】
0005933772.tif 000003
【図３】
0005933772.tif 000004
【図４】
0005933772.tif 000005
【図５】
0005933772.tif 000006
【図６】
0005933772.tif 000007
【図７】
0005933772.tif 000008
【図８】
0005933772.tif 000009
【図９】
0005933772.tif 000010
【図１０】
0005933772.tif 000011